(57)【要約】【課題】刈込刃を構造物に接触するのを防ぐガード板と刈込刃との間に刈り取った芝が詰まるのを防止するとともに、ガード板から刈込刃の視認性を向上することを目的とする。【解決手段】芝生バリカン１０は、ハウジング１１の内部に設けた原動機２１と、ハウジング１１の下部にて前方に突出して設けられ、原動機２１の作動によってクランク機構を介して相対的に左右方向に往復動する上下一対の刈込刃３１，３２と、ハウジング１１の前部にて刈込刃３１，３２より前方に突出して設けられ、刈込刃３１，３２の上側を覆うガード板４０とを備え、ガード板４０は刈込刃３１，３２の上面より３０ｍｍ以上の高さ位置に設けた。【選択図】図２
2015035971.tif 000002
【特許請求の範囲】
【請求項１】
ハウジングの内部に設けた原動機と、
前記ハウジングの下部にて前方に突出して設けられ、前記原動機の作動によってクランク機構を介して左右方向に相対的に往復動する上下一対の刈込刃と、
前記ハウジングの前部にて前記刈込刃より前方に突出して設けられ、前記刈込刃の上側を覆うガード板とを備えた芝生バリカンであって、
前記ガード板は前記刈込刃の上面より３０ｍｍ以上の高さ位置に設けたことを特徴とする芝生バリカン。
【請求項２】
請求項１に記載の芝生バリカンにおいて、
前記ガード板は透明な部材よりなることを特徴とする芝生バリカン。
【請求項３】
請求項１または２に記載の芝生バリカンにおいて、
前記ガード板の前部には前記刈込刃の前部を視認するための開口部を設けたことを特徴とする芝生バリカン。
【請求項４】
請求項１〜３の何れか１項に記載の芝生バリカンにおいて、
前記ガード板を前記刈込刃に対して平行に設けたことを特徴とする芝生バリカン。
【請求項５】
請求項１〜４の何れか１項に記載の芝生バリカンにおいて、
前記ガード板は前記ハウジングの前部にて前記刈込刃の上側を覆う水平位置と、前端側を上方へ回動させた退避位置との間で回動自在としたことを特徴とする芝生バリカン。
【発明の詳細な説明】
【技術分野】
【０００１】
本発明は、芝を刈り取る芝生バリカンに関する。
【背景技術】
【０００２】
特許文献１には芝を刈り取る芝生バリカンが開示されている。この芝生バリカンはハウジングの内部に設けた電動モータと、ハウジングの下部にて前方に突出して設けられ、電動モータの作動によってクランク機構を介して左右方向に往復動する上下一対の刈込刃とを備えている。電動モータを作動させると、上下一対の刈込刃が左右方向に往復動し、往復動する刈込刃によって地面に生える芝が刈込み可能となる。
【０００３】
この芝生バリカンにおいては、ハウジングの前部に刈込刃より少し前方に突出したガード板が設けられており、際刈りと呼ばれる構造物の近傍の芝を刈るときに、刈込刃が構造物に接触するのを防ぐようにしている。
【先行技術文献】
【特許文献】
【０００４】
【特許文献１】特開２０１２−１３５２５６号公報
【発明の概要】
【発明が解決しようとする課題】
【０００５】
しかし、上記の特許文献１の芝生バリカンにおいては、ガード板は刈込刃の直上（ガード板が刈込刃の１０ｍｍ〜２０ｍｍ程度上側）に設けられているので、刈込刃により刈り取った芝がガード板と刈込刃との間で詰まり、芝を刈り取ることができなくなることがあった。この場合には、刈込み作業を中止して、ガード板と刈込刃との間の芝を取り除かなければならなかった。また、ガード板に透明な板材を用いたときには、ガード板の上側から刈込刃を視認することができるが、刈り取った芝や土等がガード板の下面に付着すると、ガード板の上側から刈込刃を視認することができないおそれがあった。本発明は、刈込刃が建物等の構造物に接触するのを防ぐガード板と刈込刃との間に刈り取った芝が詰まるのを防止するとともに、ガード板から刈込刃の視認性を向上することを目的とする。
【課題を解決するための手段】
【０００６】
上記課題を解決するために、本発明は、ハウジングの内部に設けた原動機と、ハウジングの下部にて前方に突出して設けられ、原動機の作動によってクランク機構を介して相対的に左右方向に往復動する上下一対の刈込刃と、ハウジングの前部にて刈込刃より前方に突出して設けられ、刈込刃の上側を覆うガード板とを備えた芝生バリカンであって、ガード板は刈込刃の上面より３０ｍｍ以上の高さ位置に設けたことを特徴とする芝生バリカンを提供するものである。
【０００７】
上記のように構成した芝生バリカンにおいては、ガード板は刈込刃の上面より３０ｍｍ以上の高さ位置に設けたので、刈込刃により刈り取った芝がガード板と刈込刃との間で詰まりにくくなる。これにより、ガード板と刈込刃との間に詰まった芝を取り除くために、芝の刈り込み作業を中止する必要がない。
【０００８】
上記のように構成した芝生バリカンにおいては、ガード板は透明な部材であることが好ましく、このようにしたときには、ガード板の上側から刈込刃の先端部を視認することができ、刈込み作業をするときの作業性が向上する。
【０００９】
上記のように構成した芝生バリカンにおいては、ガード板の前部には刈込刃の前部を視認するための開口部を設けるようにするのが好ましく、このようにしたときには、ガード板の上側から刈込刃を視認することができ、刈込み作業をするときの作業性が向上する。特に、ガード板が透明な部材であるときに、ガード板の下面に刈り取った芝や土等が付着して刈込刃の先端部を視認できなくなるおそれがあるが、開口部から刈込刃の先端部を視認することができ、刈込み作業をするときの作業性が向上する。また、このように構成した芝生バリカンにおいては、ガード板を刈込刃に対して平行に設けるが好ましい。
【００１０】
上記のように構成した芝生バリカンにおいては、ガード板はハウジングの前部にて刈込刃の上側を覆う水平位置と、前端側を上方へ回動させた退避位置との間で回動自在とするのが好ましく、このようにしたときには、ガード板が不要なときには、退避位置に回動させるだけでよく、芝生バリカンが使いやすくなった。
【図面の簡単な説明】
【００１１】
【図１】本発明の芝生バリカンの一実施形態の斜視図である。
【図２】図１の側面図である。
【図３】図２の前後方向に沿った縦方向断面図である。
【図４】芝生バリカンの変形例の側面図である。
【発明を実施するための最良の形態】
【００１２】
以下、本発明の芝生バリカンの一実施形態を添付図面を参照して説明する。図１〜図３に示したように、芝生バリカン１０は、後部に作業者が把持するグリップ１２が一体的に設けられたハウジング１１を備えている。芝生バリカン１０は、ハウジング１１の内部に直立して設けた電動モータ（原動機）２１と、ハウジング１１の下部にて前方に突出して設けられ、ハウジング１１の下部に設けたクランク機構を介して上下一対の刈込刃３１，３２とを備えている。
【００１３】
図３に示したように、電動モータ２１の出力軸２１ａにはピニオンギヤ２２が設けられており、ピニオンギヤ２２にはハウジング１１内に設けた支持軸２３に回転可能に支持された第１中間ギヤ２４が噛み合っている。また、第１中間ギヤ２４の下部にはこれより小径の第２中間ギヤ２５が一体的に設けられており、第２中間ギヤ２５は第１中間ギヤ２４とともに支持軸２３に回転可能に支持されている。第２中間ギヤ２５にはハウジング１１内の下部に設けた支持軸２６に固定した駆動ギヤ２７が噛み合っている。駆動ギヤ２７の下面側にはクランク機構を構成するクランクカム２８が２本のピンにより固定されており、クランクカム２８には駆動ギヤ２７から動力が伝達されるようになっている。クランクカム２８は支持軸２６に対して偏心して配置した上下一対の円板２８ａ，２８ｂよりなる。このクランクカム２８の両円板２８ａ，２８ｂの中心は支持軸２６を挟んで対向する位置、すなわち１８０°の位相差となっている。
【００１４】
図１〜図３に示したように、ハウジング１１の下部には上下一対の刈込刃３１，３２が前方に突出して設けられており、刈込刃３１，３２はハウジング１１の下部にて左右方向に移動可能に支持されている。刈込刃３１，３２はハウジング１１の下部に取り付けた後部から前方に延びた前部がハウジング１１の幅より左右方向に長い幅広な形状となっており、刈込刃３１，３２の前部には櫛歯状の刃部３１ａ，３２ａが形成されている。また、刈込刃３１，３２の後部には前後方向に長い角丸長方形状をした係合孔３１ｂ，３２ｂが形成されている。刈込刃３１，３２の各係合孔３１ｂ，３２ｂにはクランクカム２８の各円板２８ａ，２８ｂが長手方向にスライド移動可能に係合している。
【００１５】
電動モータ２１の駆動により駆動ギヤ２７を回転させると、クランクカム２８の各円板２８ａ，２８ｂは支持軸２６を中心に公転する。各円板２８ａ，２８ｂが各刈込刃３１，３２の係合孔３１ｂ，３２ｂを長手方向にスライド移動することにより、各刈込刃３１，３２は左右方向に往復動する。このとき、クランクカム２８の各円板２８ａ，２８ｂは支持軸２６に対して１８０°の位相差に配置されていることにより、刈込刃３１，３２は互いに左右方向の逆向きに往復動する。
【００１６】
図１及び図２に示したように、ハウジング１１の前部には刈込刃３１，３２の上側を覆うガード板４０が設けられており、ガード板４０の後部から後方に延出する支持腕部４１，４１がハウジング１１の側部に着脱可能に係合している。ガード板４０はアクリル樹脂、ポリ塩化ビニル樹脂等の透明な硬質の樹脂部材よりなる。ガード板４０は刈込刃３１，３２の幅より少し長い長さをし、刈込刃３１，３２の前端より少し前方に突出している。ガード板４０は上側の刈込刃３１からの高さｈが５０ｍｍの位置に設けられている。なお、この実施形態ではガード板４０の上側の刈込刃３１からの高さｈを５０ｍｍとしたが、これに限られるものでなく、高さｈが３０ｍｍ以上であり、さらに６０ｍｍ以下であるのが好ましい。ガード板４０の前部には左右一対の開口部４２，４２が形成されており、開口部４２，４２は上側から刈込刃３１，３２の前部を視認するためのものである。
【００１７】
芝生バリカン１０は刈込刃３１，３２の地面に対する高さ位置を変更することにより、芝の刈り高さを調整する高さ調整機構５０を備えている。高さ調整機構５０は、ハウジング１１の底部に地面に沿って摺動させるスライダ５１を備えている。スライダ５１はハウジング１１の底部の後端部に設けた支持ブロック１３に前後方向と直交する水平軸線周りに回動可能に支持され、スライダ５１の前部のハウジング１１に対する上下位置を変えることにより、刈込刃３１，３２の地面に対する高さ位置を変更可能としている。この高さ調整機構５０により、刈込刃３１，３２の高さは地面から１５ｍｍ，２０ｍｍまたは２５ｍｍの高さに調整可能となる。なお、スライダ５１の側部には刈込刃３１，３２により刈り取った芝を受けるレシーバ部５２が形成されている。
【００１８】
上記のように構成した芝生バリカン１０の作動について説明する。芝生バリカン１０においては、電動モータ２１を作動させると、出力軸２１ａのピニオンギヤ２２に係合した第１中間ギヤ２４が回転し、この第１中間ギヤ２４とともに回転する第２中間ギヤ２５に係合した駆動ギヤ２７が回転する。駆動ギヤ２７の回転が２つのピンにより固定したクランクカム２８に動力伝達され、クランクカム２８の各円板２８ａ，２８ｂは１支持軸２６に対して偏心して回転する。クランクカム２８の各円板２８ａ，２８ｂは１８０°の位相差をもって支持軸２６に対して偏心して回転しながら刈込刃３１，３２の各係合孔３１ｂ，３２ｂをスライド移動することで、刈込刃３１，３２は互いに逆向きに左右方向に往復動する。
【００１９】
作業者がハウジング１１のグリップ１２を把持し、ハウジング１１の底部に設けたスライダ５１を芝が生えた地面に沿って摺動させると、左右方向に相対的に往復動する刈込刃３１，３２の刃部３１ａ，３２ｂにより芝が刈り取られる。また、刈込刃３１，３２の上側に刈込刃３１，３２より前方に少し突出したガード板４０が設けられているので、際刈りと呼ばれる構造物の近傍の芝を刈るときに、刈込刃３１，３２は刃部３１ａ，３２ｂが構造物に接触することによる破損を防ぐことができる。
【００２０】
上記のように構成した芝生バリカン１０においては、ガード板４０は刈込刃３１の上面からの高さｈが３０ｍｍ以上の高さとして５０ｍｍの高さに設けられている。ガード板４０を刈込刃３１の上面から３０ｍｍ以上としたときには、作業者はガード板４０が刈込刃３１から離れすぎない程度の上側にあることで安心して芝刈り作業をすることができるとともに、刈込刃３１，３２により刈り取った芝がガード板４０と刈込刃３１との間に詰まりにくくなり、ガード板４０と刈込刃３１との間に詰まった芝を取り除くために、芝の刈込み作業を中止する必要がなくなった。
【００２１】
また、ガード板４０は透明な硬質の樹脂部材よりなるので、ガード板４０の上側から刈込刃３１，３２を視認することができ、刈込み作業をするときの作業性が向上した。さらに、ガード板４０の前部には刈込刃３１，３２の前部を視認するための開口部４２を設けた。これにより、ガード板４０の上側から刈込刃３１，３２の先端部を視認することができ、刈込み作業をするときの作業性が向上する。特に、ガード板４０が透明な部材であるときに、ガード板４０の下面に刈り取った芝や土等が付着して刈込刃３１，３２の先端部を視認できなくなるおそれがあるが、開口部４２から刈込刃３１，３２の先端部を視認することができ、刈込み作業をするときの作業性が向上した。
【００２２】
上記のように構成した芝生バリカン１０においては、ガード板４０をハウジングの前部に着脱可能に取り付けたが、本発明はこれに限られるものでなく、図４に示したように、ガード板４０をハウジング１１の前部にて刈込刃３１，３２の上側を覆う水平位置と、前端側を上方へ回動させた退避位置（２点鎖線にて示した）との間で回動自在としてもよい。このようにしたときには、際刈りをしないときのようにガード板４０が不要なときには、退避位置に回動させるだけでよく、芝生バリカン１０が使いやすくなった。
【００２３】
上記のように構成した芝生バリカン１０においては、原動機には電動モータ２１を用いたが、本発明はこれに限られるものでなく、小型のエンジンを用いたものであっても同様の作用効果を得ることができる。
【００２４】
また、上述の実施形態では、クランク機構により刈込刃３１，３２の両方が互いに逆向きに往復動する例を示したが、一方の刈込刃を往復動することなく固定し、他方の刈込刃をクランク機構により往復動させることにより、相対的に刈込刃が往復動する片刃駆動の芝生バリカンであってもよい。
【符号の説明】
【００２５】
１０…芝生バリカン、１１…ハウジング、２１…原動機（電動モータ）、３１，３２…刈込刃、４０…ガード板、４２…開口部。
【図１】
2015035971.tif 000003
【図２】
2015035971.tif 000004
【図３】
2015035971.tif 000005
【図４】
2015035971.tif 000006